(57)【要約】【課題】本発明は規則的な堅い冷たい感じのない自然感に富んだ面白味のある意匠を建築板に与えることを課題とする。【解決手段】建築板１表面のブロック調模様を形成する凸ブロック５の上面の一辺から侵蝕崩落様部分５Ａを凹陥形成する。これによってブロック調模様には自然感が付与される。更に該凸ブロック５間に介在する縦横凹溝２，３の巾にも変化を設けてブロック調模様にランダム性を付与する。【選択図】  図４
2004332226.tif 000002
【特許請求の範囲】
【請求項１】
表面に所定間隔を介して複数個の横凹溝を長手方向に沿って貫設することによって複数段の段部を画定し、各段部には四角形凸ブロックの複数個を縦凹溝を介してそれぞれ配列し、該横凹溝は筋状の巾狭凹溝と巾広凹溝との２種類が設定されており、該縦凹溝は筋状の巾狭凹溝から巾広凹溝まで巾の異なる複数種類のものが設定されており、相接する上下二つの段部において各縦凹溝は互い違いの位置に設定されており、各凸ブロックの平滑表面には少なくとも一辺から侵蝕崩落様部分が凹陥形成されていることを特徴とする建築板。
【請求項２】
各段部において凸ブロックの複数個が筋状の巾狭縦凹溝を介して連設した部分が一個所または複数個所存在する請求項１に記載の建築板。
【請求項３】
該段部にあっては、上側および／または下側の横凹溝が巾広な独立段部と、上下二つの段部が筋状の巾狭凹溝を介して連設している連設段部とが縦方向で交互に配置されている請求項１または２に記載の建築板。
【請求項４】
該建築板表面に配列されている凸ブロックの全部または一部について該凸ブロック平滑表面の侵蝕崩落様部分の位置および／または形状および／または侵蝕崩落状態が相互異なるようにされている請求項１〜３に記載の建築板。
【請求項５】
該凸ブロックの複数個の縦横配列からなる柄ユニットの複数種を設定し、該複数種の柄ユニットの凸ブロック配列様式はすべて共通しており、かつ柄ユニット相互の同位置にある凸ブロックの平滑表面の侵蝕崩落様部分の位置および／または形状および／または侵蝕崩落状態は全体的または部分的に異ならしめられている複数種の柄ユニットを適宜選択して建築板表面に縦および／または横に配列した請求項４に記載の建築板。
【請求項６】
上記柄ユニットにあっては、該凸ブロックの平滑表面に微細凹凸模様を付したものと付してないものとが設定されている請求項５に記載の建築板。
【請求項７】
該建築板の両端縁は各段の凸ブロックの上面縦辺から所定間隔離れている位置に設定し、該建築板の一端縁から巾Ｗの短冊状板材を切り出す場合、その切断線は各段の凸ブロックの上面縦辺から所定間隔離れている位置にあり、更に該建築板の両端縁以外の所定位置で各段の凸ブロックの上面縦辺から所定間隔離れている切断線を設定することが出来、該切断線から一方の側または両方の側に巾ａだけおいて切断線を設定した場合、該切断線は各段の凸ブロックの上面縦辺から所定間隔離れているように各段の凸ブロックと縦凹溝とを配置した請求項１〜６に記載の建築板。
【請求項８】
該切断線と各段の凸ブロックの上面縦辺との間隔は１５ｍｍ以上に設定した請求項７に記載の建築板。
【請求項９】
請求項１〜８に記載の建築板を複数種準備し、該複数種の建築板の表面に配列されている凸ブロックの配列様式はすべて共通しており、かつ該建築板相互の同位置にある凸ブロックの平滑表面の侵蝕崩落様部分の位置および／または形状および／または侵蝕崩落状態は全体的または部分的に異ならしめられている複数種の建築板を適宜選択して構築物躯体表面に縦および／または横に配列張設したことを特徴とする構築物。
【請求項１０】
上記建築板にあっては、該凸ブロックの平滑表面に微細凹凸模様を付したものと付してないものとが設定されている請求項９に記載の構築物。
【発明の詳細な説明】
【０００１】
【発明の属する技術分野】
本発明は、例えば外壁材として使用される建築板および該建築板を使用した構築物に関するものである。
【０００２】
【従来の技術】
従来から例えば図８に示すような表面にブロック調模様を有する建築板（１１）が提供されている（例えば特許文献１、特許文献２、特許文献３参照）。
該ブロック調模様とは複数条の縦横目地溝（１２，１３）  によって画定した複数個の凸ブロック（１４）を縦横に配列した模様である。
【０００３】
【特許文献１】
特開２００１−２２７１３０号公報（図１）
【特許文献２】
特開平８−１５５７５４号公報（図４）
【特許文献３】
特開平８−２４６６５４号公報
【０００４】
【発明が解決しようとする課題】
上記従来のブロック調模様にあっては、縦横目地溝の変化が乏しく、また凸ブロック表面には微細凹凸が設けられている場合もあるが、全体的に平坦であり、規則的な堅い冷たい感じの意匠となる。
【０００５】
【課題を解決するための手段】
本発明は上記従来の課題を解決する手段として、表面に所定間隔を介して複数個の横凹溝（２）  を長手方向に沿って貫設することによって複数段の段部（４）  を画定し、各段部（４）  には四角形凸ブロック（５）  の複数個を縦凹溝（３）  を介してそれぞれ配列し、該横凹溝（２）  は筋状の巾狭凹溝（２Ａ）と巾広凹溝（２Ｂ）との２種類が設定されており、該縦凹溝（３）  は筋状の巾狭凹溝（３Ａ）から巾広凹溝（３Ｂ）まで巾の異なる複数種類のものが設定されており、相接する上下二つの段部（４）  において各縦凹溝（３）  は互い違いの位置に設定されており、各凸ブロック（５）  の平滑表面には一辺から侵蝕崩落様部分（５Ａ）が凹陥形成されている建築板（１）  を提供するものである。
【０００６】
各段部（４）  において凸ブロック（５）  の複数個が筋状の巾狭縦凹溝（３Ａ）を介して連設した部分が一個所または複数個所存在することが望ましく、また該段部（４）  にあっては、上側および／または下側の横凹溝（２）  が巾広な独立段部と、上下二つの段部（４）  が筋状の巾狭凹溝（２Ａ）を介して連設している連設段部とが縦方向で交互に配置されていることが望ましい。更に該建築板（１）  表面に配列されている凸ブロック（５）  の全部または一部について該凸ブロック（５）  平滑表面の侵蝕崩落様部分（５Ａ）の位置および／または形状および／または侵蝕崩落状態が相互異なるようにされていることが望ましく、この場合該凸ブロック（５）  の複数個の縦横配列からなる柄ユニットの複数種を設定し、該複数種の柄ユニットの凸ブロック（５）  配列様式はすべて共通しており、かつ柄ユニット相互の同位置にある凸ブロック（５）  の平滑表面の侵蝕崩落様部分（５Ａ）の位置および／または形状および／または侵蝕崩落状態は全体的または部分的に異ならしめられている複数種の柄ユニットを適宜選択して建築板（１）  表面に縦および／または横に配列することが望ましく、更に上記柄ユニットにあっては、該凸ブロック（５）  の平滑表面に微細凹凸模様を付したものと付してないものとが設定されていてもよい。
【０００７】
また該建築板（１）  の両端縁は各段の凸ブロック（５）  の上面縦辺Ｅから所定間隔Ｓ離れている位置に設定し、該建築板（１）  の一端縁から巾Ｗの短冊状板材（１Ａ）を切り出す場合、その切断線Ｃは各段の凸ブロック（５）  の上面縦辺Ｅから所定間隔Ｓ離れている位置にあり、更に該建築板（１）  の両端縁以外の所定位置で各段の凸ブロック（５）  の上面縦辺Ｅから所定間隔Ｓ離れている切断線Ｃを設定することが出来、該切断線Ｃから一方の側または両方の側に巾ａだけおいて切断線Ｃを設定した場合、該切断線Ｃは各段の凸ブロック（５）  の上面縦辺Ｅから所定間隔Ｓ離れているように各段の凸ブロック（５）  と縦凹溝（３）  とを配置することが望ましく、この場合該切断線Ｃと各段の凸ブロック（５）  の上面縦辺Ｅとの間隔Ｓは１５ｍｍ以上に設定することが望ましい。
【０００８】
更に本発明では、上記の建築板（１）  を複数種準備し、該複数種の建築板（１）  の表面に配列されている凸ブロック（５）  の配列様式はすべて共通しており、かつ該建築板（１）  相互の同位置にある凸ブロック（５）  の平滑表面の侵蝕崩落様部分（５Ａ）の位置および／または形状および／または侵蝕崩落状態は全体的または部分的に異ならしめられている複数種の建築板（１）  を適宜選択して構築物躯体表面に縦および／または横に配列張設した構築物が提供される。この場合上記建築板（１）  にあっては、該凸ブロック（５）  の平滑表面に微細凹凸模様を付したものと付してないものとが設定されていてもよい。
【０００９】
【作用】
本発明では縦横目地溝に相当する縦横凹溝（２，３）  が筋状の巾狭のものから巾広のものまで巾に変化がつけられており、かつ相接する上下二つの段部（４）  において各縦凹溝（３）  が互い違いの位置に設定されているので、ブロック調模様にランダム性が付与される。更に上記縦横凹溝（２，３）  に囲まれる四角形凸ブロック（５）  の平滑表面には一辺から侵蝕崩落様部分（５Ａ）が形成されているので、ブロック調模様の堅い冷たい感じがなくなり、自然感に富んだ面白味のある意匠となる。
【００１０】
各段部（４）  において凸ブロック（５）  の複数個が筋状の巾狭縦凹溝（３Ａ）を介して連設した部分が一個所または複数個所存在すると、各段部（４）  における凸ブロック（５）  の配列に変化がつけられ面白味が一層増すし、該段部（４）  にあっては、上側および／または下側の横凹溝（２）  が巾広な独立段部と、上下二つの段部（４）  が筋状の巾狭凹溝（２Ａ）を介して連設している連設段部とが縦方向で交互に配置されていると、縦方向の段部（４）  の配列にも変化がつけられ、更に意匠の面白味が増す。
【００１１】
該建築板（１）  表面に配列されている凸ブロック（５）  の全部または一部について該凸ブロック（５）  平滑表面の侵蝕崩落様部分（５Ａ）の位置および／または形状および／または侵蝕崩落状態が相互異なるようにされていると、該凸ブロック（５）  の表面のテクスチャーの多様性によって、一律性がなくなり、更に面白味が増す。更に該凸ブロック（５）  の複数個の縦横配列からなる柄ユニットの複数種を設定し、該複数種の柄ユニットの凸ブロック（５）  配列様式はすべて共通しており、かつ柄ユニット相互の同位置にある凸ブロック（５）  の平滑表面の侵蝕崩落様部分（５Ａ）の位置および／または形状および／または侵蝕崩落状態は全体的または部分的に異ならしめられている複数種の柄ユニットを適宜選択して建築板（１）  表面に縦および／または横に配列すると、同種の柄ユニットを配列した場合のような柄の繰返し感がなくなり、ランダム性が増して意匠の面白味が向上する。しかし複数種の柄ユニットを予め設定しておき、これを適宜選択して配列するだけであるので意匠のデザインは簡単である。上記柄ユニットにあっては、該凸ブロック（５）  の平滑表面に微細凹凸模様を付したものと付してないものとが設定されていると、更に変化が付され面白味が増す。
【００１２】
該建築板（１）  の両端縁は各段の凸ブロック（５）  の上面縦辺Ｅから所定間隔Ｓ離れている位置に設定し、該建築板（１）  の一端縁から巾Ｗの短冊状板材（１Ａ）を切り出す場合、その切断線Ｃは各段の凸ブロック（５）  の上面縦辺Ｅから所定間隔Ｓ離れている位置にあり、更に該建築板（１）  の両端縁以外の所定位置で各段の凸ブロック（５）  の上面縦辺Ｅから所定間隔Ｓ離れている切断線Ｃを設定することが出来、該切断線Ｃから一方の側または両方の側に巾ａだけおいて切断線Ｃを設定した場合、該切断線Ｃは各段の凸ブロック（５）  の上面縦辺Ｅから所定間隔Ｓ離れているように各段の凸ブロック（５）  と縦凹溝（３）  とを配置した場合には、該建築板（１）  を所定巾Ｗで縦方向に切断して短冊状板材（１Ａ）を切出す場合、各段について切断線Ｃは凸ブロック（５）  の上面縦辺Ｅから所定間隔Ｓ離れているように設定出来るので、切断線Ｃに沿う建築板（１）  部分あるいは切断線Ｃに沿う短冊状板材（１Ａ）の側縁部の機械的強度が確保され、側縁部に欠けが生ずることが有効に防止出来る。
なお切断線Ｃと凸ブロック（５）  縦辺との間隔は１５ｍｍあるいは１５ｍｍ以上に設定すれば、この間の強度は確実に保証される。
【００１３】
上記の建築板（１）  を複数種準備し、該複数種の建築板（１）  の表面に配列されている凸ブロック（５）  の配列様式はすべて共通しており、かつ該建築板（１）  相互の同位置にある凸ブロック（５）  の平滑表面の侵蝕崩落様部分（５Ａ）の位置および／または形状および／または侵蝕崩落状態は全体的または部分的に異ならしめられている複数種の建築板（１）  を適宜選択して構築物躯体表面に縦および／または横に配列張設すると、外壁等の構築物において建築板（１）  単位の柄の繰返し感がなくなり、構築物の外観に変化が付され面白味のあるものとなり、更に上記建築板（１）  にあっては、該凸ブロック（５）  の平滑表面に微細凹凸模様を付したものと付してないものとが設定されていると、更なる変化が付されることによって面白味が増大する。
【００１４】
【発明の実施の形態】
本発明を図１〜図７に示す一実施例によって説明する。
図に示す建築板（１）  は例えば、木片、木質パルプ、木質繊維束、木毛等の木質補強材を混合した木質セメント板からなり、表面には複数条（５条）の横凹溝（２）  が長手方向に沿って貫設されており、該横凹溝（２）  の複数条によって複数段（６段）の段部（４）  が画定されている。上記横凹溝（２）  は筋状の巾狭な凹溝（２Ａ）と、巾広な凹溝（２Ｂ）の二種類からなり、上から巾広凹溝（２Ｂ）、筋状巾狭凹溝（２Ａ）、巾広凹溝（２Ｂ）、巾広凹溝（２Ｂ）、筋状巾狭凹溝（２Ａ）の順に配列されており、かくして上から一段目の段部（４）  と二段目の段部（４）  とは巾広凹溝（２Ｂ）によって隔離され、したがって一段目の段部（４）  は独立段部となり、二段目の段部（４）  と三段目の段部（４）  とは筋状巾狭凹溝（２Ａ）を介して連設して連設段部となり、四段目の段部（４）  は上下の巾広凹溝（２Ｂ）を介して三段目の段部（４）  と五段目の段部（４）  とから隔離されて独立段部となり、五段目の段部（４）  と六段目の段部（４）  とは筋状巾狭凹溝（２Ａ）を介して連設して連設段部となっている。そして上下端縁には巾広凹溝（２Ｂ）の半分の巾を有する半巾凹溝（２Ｃ）が設けられており、該建築板（１）  の一対を上下に接続した時、上側の建築板（１）  の下端縁の半巾凹溝（２Ｃ）と下側の建築板（１）  の上端縁の半巾凹溝（２Ｃ）とにより巾広凹溝（２Ｂ）が形成されるようになっている。したがって建築板（１）  を接続して外壁のような構築物を構築した時全体的に独立段部と連設段部とが上下交互に配置される。
【００１５】
本実施例では図２に示すように筋状巾狭凹溝（２Ａ）は横断面Ｖ字状であり、したがって溝底巾は実質的に０であり、また巾広凹溝（２Ｂ）の溝底巾Ｄ１  は６ｍｍ、半巾凹溝（２Ｃ）の溝底巾Ｄ２  は３ｍｍに設定されている。
このように本実施例にあっては、独立段部と連設段部とが縦方向で交互に配置されて縦方向の変化がつけられている。
【００１６】
各段部（４）  には複数条の縦凹溝（３）  を介して複数個の四角形凸ブロック（５）  が配列されている。該縦凹溝（３）  は筋状の巾狭凹溝（３Ａ）から巾広な凹溝（３Ｂ）まで数種類の巾のものが設定されており、各段について筋状巾狭凹溝（３Ａ）を介して凸ブロック（５）  の複数個（２個〜４個）が連設している部分が複数個所存在する。本実施例では、図３に示すように筋状巾狭凹溝（３Ａ）は横断面Ｖ字状であり、したがって溝底巾は実質的に０であり、また巾広凹溝（３Ｂ）の溝底巾Ｄ３  は５〜２５ｍｍの範囲に設定されている。
【００１７】
各凸ブロック（５）  の４辺側縁は図２、図３に示すように凸ブロック（５）  上面に対して角度θ（θ＝６０°）で傾斜している。そして図４に示すように各凸ブロック（５）  の平滑表面には一辺から侵蝕崩落様部分（５Ａ）が凹陥形成されている。このような侵蝕崩落様部分（５Ａ）によって、ブロック調模様の堅い冷たい感じがなくなり、自然感が付与される。なお凸ブロック（５）  の平滑表面には微細凹凸模様を形成してもよい。この侵蝕崩落様部分（５Ａ）は該凸ブロック（５）  の全部または一部について、位置および／または形状および／または侵蝕崩落状態（凹凸状態）が相互に異なるようにされている。更に該凸ブロック（５）  の複数個の縦横配列からなる柄ユニットの複数種を設定し、該複数種の柄ユニットの凸ブロック（５）  配列様式はすべて共通しており、かつ柄ユニット相互の同位置にある凸ブロック（５）  の平滑表面の侵蝕崩落様部分（５Ａ）の位置および／または形状および／または侵蝕崩落状態は全体的または部分的に異ならしめられている複数種の柄ユニットを適宜選択して建築板（１）  表面に縦および／または横に配列してもよい。このようにすれば柄の繰返し感がなくなって意匠の面白味は更に増す。通常該柄ユニットは３〜４種類設定される。また上記柄ユニットにおいて凸ブロック（５）  平滑表面に微細凹凸模様があるものとないものとが設定されてもよい。
【００１８】
上記建築板（１）  にあっては、所定の個所から縦方向に沿って切断して巾Ｗの短冊状板材（１Ａ）を切出す場合がある。この短冊状板材（１Ａ）は例えば外壁の角部において、出隅部材や入隅部材として使用される。上記短冊状板材（１Ａ）の巾Ｗは図７に示すように例えばＷ１＝７０ｍｍとＷ２＝１０１ｍｍの２種あり、７０ｍｍ巾の板材（１Ａ）の場合には切断線Ｃ１でカットし、１０１ｍｍの板材（１Ａ）の場合は切断線Ｃ２でカットする。図７に示す場合は、建築板（１）  の左端から巾Ｗ１  またはＷ２  の短冊状板材（１Ａ）を逐次切出す場合であり、右端部では巾Ｍ１  またはＭ２  の端切れが出来る。
上記短冊状板材（１Ａ）にあっては、図５に示すように切断線Ｃが凸ブロック（５）  の上面縦辺Ｅに接近して通ると、切断線Ｃに沿う板材（１Ａ）側縁部（図５ではＣ−Ｅ間Ｓ）の強度が弱くなって欠け易くなる。したがって図６に示すようにＣ−Ｅ間Ｓをある程度大きく確保することが望ましい。一般にＳ≧１５ｍｍとすれば板材（１Ａ）側縁部の強度が充分確保出来る。
【００１９】
しかしブロック調模様、特に小さいサイズの凸ブロック（５）  が縦横に多数ランダムに配列されているようなブロック調模様を有する建築板（１）  ではこのような条件を充たす位置に切断線Ｃを設定することが困難で、例えば長さ８９０ｍｍ、縦巾２１０ｍｍの建築板（１）  から巾Ｗ１  ＝７０ｍｍあるいはＷ２  ＝１０１ｍｍの短冊状板材（１Ａ）を切り出す場合、短冊状板材（１Ａ）の両側の切断線Ｃが上記条件を充たすようにしようとすると、一枚の建築板（１）  からせいぜい４枚程度しか切り出せない。
【００２０】
そこで本実施例では、図７に示すように、長さ８９０ｍｍ、縦巾２１０ｍｍの該建築板（１）  の長手方向両端縁は各段の凸ブロック（５）  の縦辺より１５ｍｍ離れるように設定し、かつ巾Ｗの短冊状板材（１Ａ）を６枚切り出せるように各段の凸ブロック（５）  および縦凹溝（３）  を配置した。具体的には図７において切断線Ｃ１  は巾Ｗ１  ＝７０ｍｍの短冊状板材（１Ａ）を切り出す場合、切断線Ｃ２  は巾１０１ｍｍの短冊状板材（１Ａ）を切り出す場合であり、短冊状板材（１Ａ）の切り出し間隔は巾Ｗ１  ＝７０ｍｍの該板材（１Ａ）では７８．３ｍｍ（ａ１  ）、巾Ｗ２  ＝１０１ｍｍの該板材（１Ａ）では４７．３ｍｍ（ａ２  ）に設定される。そして切断線Ｃ１  ，Ｃ２  は各段の凸ブロック（５）  の上面縦辺Ｅから１５ｍｍ離れている。
【００２１】
本実施例のように、建築板（１）  の一端から所定巾Ｗの短冊状板材（１Ａ）を切り出す時、一定の間隔（ａ１  またはａ２  ）ごとに該短冊状板材（１Ａ）を切り出せるように各段の凸ブロック（５）  および縦凹溝（３）  の配置を考慮すると、該板材（１Ａ）切り出しの際の切断線Ｃの位置決定が容易になる。
【００２２】
更に本発明では前記のように凸ブロック（５）  の平滑な表面に微細凹凸模様を設けてもよいが、この微細凹凸模様は建築板（１）  の凸ブロック（５）  の全部に設けても一部に設けてもよい。
また前記の建築板（１）  を複数種準備し、該複数種の建築板（１）  の表面に配列されている凸ブロック（５）  の配列様式はすべて共通しており、かつ該建築板（１）  相互の同位置にある凸ブロック（５）  の平滑表面の侵蝕崩落様部分（５Ａ）の位置および／または形状および／または侵蝕崩落状態は全体的または部分的に異ならしめられている複数種の建築板（１）  を適宜選択して構築物躯体表面に縦および／または横に配列張設すれば、同種類の建築板（１）  を張設した場合の柄の繰返し感がなくなり、変化に富んだ意匠の外壁等の構築物を構築することが出来る。この場合、該凸ブロック（５）  の平滑表面に微細凹凸模様を付したものと付してないものとが設定されていてもよい。
【００２３】
【発明の効果】
本発明の建築板にあっては、ブロック調の模様を有しながら変化に富み、そして規則的な堅い冷たさもなく、自然感あふれる好ましい意匠が付されることによって商品価値の高いものとなる。
【図面の簡単な説明】
図１〜図７は本発明の一実施例を示すものである。
【図１】平面図
【図２】連設段部の横凹溝部分断面図
【図３】各段部の縦凹溝部分断面図
【図４】表面凸ブロックの部分斜視図
【図５】凸ブロックの上面縦辺に近接切断した短冊状板材の切断位置説明図
【図６】望ましい短冊状板材の切断位置説明図
【図７】長尺建築板からの短冊状板材切断方法説明図
【図８】従来例の図柄平面図
【符号の説明】
１                    建築板
１Ａ            短冊状板材
２              横凹溝
２Ａ            巾狭横凹溝
２Ｂ            巾広横凹溝
３                  縦凹溝
３Ａ            巾狭縦凹溝
３Ｂ            巾広縦凹溝
４              段部
５                        凸ブロック
５Ａ                      侵蝕崩落様部分
ａ            短冊状板材間の巾
Ｃ，Ｃ１，Ｃ２    切断線
Ｅ            凸ブロックの上面縦辺
Ｓ            切断線と凸ブロックの上面縦辺との所定間隔
【図１】
2004332226.tif 000003
【図２】
2004332226.tif 000004
【図３】
2004332226.tif 000005
【図４】
2004332226.tif 000006
【図５】
2004332226.tif 000007
【図６】
2004332226.tif 000008
【図７】
2004332226.tif 000009
【図８】
2004332226.tif 000010
【手続補正書】
【提出日】平成15年5月1日(2003.5.1)
【手続補正１】
【補正対象書類名】図面
【補正対象項目名】全図
【補正方法】変更
【補正の内容】
【図１】
2004332226.tif 000011
【図２】
2004332226.tif 000012
【図３】
2004332226.tif 000013
【図４】
2004332226.tif 000014
【図５】
2004332226.tif 000015
【図６】
2004332226.tif 000016
【図７】
2004332226.tif 000017
【図８】
2004332226.tif 000018